(57)【要約】【課題】横寸法が異なる複数の引き違い窓を並べたときに統一感を発揮させ、且つ統一感のある壁面を実現する。【解決手段】窓セットは、高さが同じで横寸法が異なる複数の障子１〜３からなる障子群と、この障子群の中から基準となる障子を選択すると共に選択された基準となる障子と他の障子を組み合わせて納めるサッシ枠５〜７とからなる。住宅Ａは、同一の壁面１１，１２に寸法の異なる複数の窓を構成する際に、前記窓セットを利用することによって、全ての窓に基準となる障子を配置する。【選択図】      図４
2004257020.tif 000002
【特許請求の範囲】
【請求項１】
高さが同じで横寸法が異なる複数の障子からなる障子群と、前記障子群の中から基準となる障子を選択すると共に選択された基準となる障子と他の障子を組み合わせて納めるサッシ枠と、からなることを特徴とする窓セット。
【請求項２】
同一の壁面に寸法の異なる複数の窓を構成する際に、請求項１に記載した窓セットを利用することによって、全ての窓に基準となる障子を配置することを特徴とする住宅。
【発明の詳細な説明】
【０００１】
【発明の属する技術分野】
本発明は、異なる寸法を持って形成された複数の窓に統一感を与えるようにした窓セットと、この窓セットを同一の外壁面に適用することで全体の統一感を発揮することが出来る住宅とに関するものである。
【０００２】
【従来の技術】
外壁に形成された開口部には各種の窓が形成されるが、一般的な部位では引き違い窓が設けられる。この引き違い窓は、左右方向の寸法（横寸法）が建物に設定されたモジュールに基づいて設定されたサッシ枠と、サッシ枠に対し移動可能に取り付けられた障子からなり、障子は、引き違い窓の横寸法の値に対応して２枚障子，３枚障子，４枚障子として設定されている。
【０００３】
引き違い窓に於ける障子の横寸法は該引き違い窓の横寸法を障子の枚数に応じて等分割されるのが一般的であり、外部から見たとき、一つの引き違い窓に嵌め込まれた障子どうしは全て同一寸法に設定されている。例えば、横寸法が９００ｍｍ（呼び寸法、以下同じ）の引き違い窓の障子は４５０ｍｍが２枚であり、横寸法が１５００ｍｍの引き違い窓の障子は７５０ｍｍが２枚であり、同様に１８００ｍｍでは９００ｍｍが２枚、２７００ｍｍでは１３５０ｍｍが２枚又は９００ｍｍが３枚に設定されている。
【０００４】
また寸法が同じ２枚の障子を有する引き違い窓と、１枚の回転窓とを組み合わせた窓も提案されている（例えば特許文献１参照）。この窓では、引き違い窓と回転窓という機能の異なる複数の障子を一つの枠体に納めて構成されている。
【０００５】
更に、横寸法が大きい窓の場合、該窓を横方向に３分割し、中央を大きい寸法を持った大障子とし、左右両側を中央の障子よりも小さい寸法を持った小障子とすることで意匠的な優位性を持たせたピクチャー窓，シカゴウィンドウと呼ばれる窓も提供されている。これらのピクチャー窓やシカゴウィンドウでは、中央の大障子は固定され、両側の小障子が移動して窓の開閉を行うように構成されるのが一般的である。
【０００６】
【特許文献１】
特開２０００−１３００２７号公報
【０００７】
【発明が解決しようとする課題】
上記従来の引き違い窓やピクチャー窓，シカゴウィンドウでは、窓の横寸法が決まると障子の横寸法も同時に決まってしまい、且つ障子の横寸法も引き違い窓の横寸法の変化に応じて変化することとなる。このため、同一の横寸法を持った窓を複数配置する場合には統一感を発揮することが出来るが、異なる横寸法を持った窓を複数配置した場合統一感がとれなくなるという問題がある。
【０００８】
特に、同一外壁面に横寸法の異なる複数の窓を配置した住宅では、統一感を発揮することが出来ず、意匠的に劣る虞があるという問題がある。
【０００９】
本発明の目的は、横寸法が異なる引き違い窓であっても、統一感を発揮することが出来る窓セットと、この窓セットを配置することによって統一感のある壁面を実現することが出来る住宅を提供することにある。
【００１０】
【課題を解決するための手段】
上記課題を解決するために本発明に係る窓セットは、高さが同じで横寸法が異なる複数の障子からなる障子群と、前記障子群の中から基準となる障子を選択すると共に選択された基準となる障子と他の障子を組み合わせて納めるサッシ枠と、からなることを特徴とするものである。
【００１１】
上記窓セットでは、高さが同じで異なる横寸法の複数種の障子群を設定しておき、目的の住宅を設計する際に、該障子群の中から基準となる障子（基準障子）を選択すると共に少なくとも１枚の基準障子と他の障子を組み合わせてサッシ枠に納めることによって、複数のサッシ枠には何れも少なくとも１枚の基準障子が納められることとなる。
【００１２】
このように、異なる横寸法を持った複数の窓セットに共通して基準障子が配置され且つ高さが同じ寸法となり、これらの異なる横寸法を持った窓セットを並べたとき、高さ寸法が同じで且つ共通して配置された基準障子によって統一感を発揮することが出来る。
【００１３】
また本発明に係る住宅は、同一の壁面に寸法の異なる複数の窓を構成する際に、上記窓セットを利用することによって、全ての窓に基準となる障子を配置したものである。
【００１４】
上記住宅では、同一の壁面に本発明に係る窓セットを複数配置することで、窓セットを構成するサッシ枠の横寸法が異なる場合であっても、これらのサッシ枠に共通した障子を配置することで、各窓の統一感を発揮することが可能となり、この結果、壁面の統一感を発揮させることが出来る。
【００１５】
【発明の実施の形態】
以下、本発明に係る窓セットの好ましい実施形態について説明する。本発明に係る窓セットは、横寸法の異なる窓に対して少なくとも１枚の基準となる障子を共通に用いることによって、同一の壁面に複数の窓が配置された場合に、この壁面に統一感を発揮させることを可能としたものである。
【００１６】
本発明の窓セットでは、基準となる障子に組み合わせられる他の障子の横寸法は限定されない。即ち、同一のサッシ枠に異なる横寸法を持った基準となる障子と他の障子とが混在することとなる。特に、一般の引き違い窓を構成する障子が全て同寸法であり、それ故、横寸法の異なる複数の窓を配置したとき、夫々の窓を構成する障子が異なる寸法を有することにより統一感を阻害するのに対し、本発明では横寸法の如何に関わらず、全ての窓に共通した基準となる障子が納められることによって統一感を発揮させることが可能となるものである。
【００１７】
基準となる障子に組み合わされる他の障子の数は特に限定するものではないが、１枚〜２枚程度であることが好ましい。即ち、窓セットは、１枚の基準となる障子と、１枚〜２枚の他の障子との組み合わせ（障子の総数が２枚〜３枚程度）であることが好ましい。障子の枚数があまり多くなると、基準となる障子が納められているにも関わらず、統一感を発揮し難くなる。
【００１８】
このように、予め窓セットに用いる障子の横寸法を複数種設定しておくことで、障子の機種を大幅に増加させることをなくすことが可能となり好ましい。
【００１９】
特に、横寸法の異なる窓であっても、少なくとも同一の壁面に配置される窓或いは同一の建物に配置される窓を構成する障子の高さが同じ寸法なので、見た目の統一感を発揮させることが可能であり、意匠性を向上させることが可能となる。また必ずしも同一の壁面には本発明の窓セットのみを配置することに限定するものではなく、一部に本発明の窓セット以外の窓（例えば高さの異なる窓等）が配置されていても良い。更に、同一の壁面に基準となる障子のみによって構成した嵌め殺し窓を配置しても統一感を発揮することが可能である。
【００２０】
障子の横寸法は特に限定するものではないが、建物に設定されたモジュール寸法に対応した寸法であることが好ましい。モジュール寸法に対応した寸法とは、１／２モジュールの整数倍、即ち、モジュール寸法の１．０倍、１．５倍、２．０倍、２．５倍、３．０倍等であり、これらの横寸法を持った障子の中から基準となる障子（基準障子）を選択し、選択された基準障子と他の障子とを組み合わせてサッシ枠に納めて窓を構成することで、この窓を目的の建物に配置して障子を納めたとき、周囲との違和感のない窓を構成することが可能である。
【００２１】
建物に設定されたモジュール寸法の数値は特に限定するものではなく、目的の建物を設計する段階で適宜設定される。
【００２２】
また各障子の高さとなる立て寸法は限定するものではなく、窓を形成すべき空間の大きさや機能、意匠に応じて最適なものが適宜設定される。
【００２３】
更に、本発明に係る窓セットを構成する材質も特に限定するものではなく、アルミニウム製のサッシや、アルミニウムと合成樹脂とを組み合わせた複合材からなるサッシ、或いは木製の建具であっても良い。
【００２４】
以下説明する本実施例では、建物に設定されたモジュール寸法の１．５倍に相当する横寸法を持った小障子と、モジュール寸法の２．５倍に相当する横寸法を持った中障子と、モジュール寸法の３．０倍に相当する横寸法を持った大障子とからなる障子群を構成し、この障子群のなかから基準障子を選択すると共に基準障子と他の障子を組み合わせて収めるサッシ枠とによって窓セットを構成している。
【００２５】
特に、モジュール寸法の２．５倍に相当する横寸法を持った中障子を採用した場合、この寸法が通常組み合わせ窓として採用されていない寸法であり、統一感に加えてモダンな感覚を発揮させることが可能である。
【００２６】
本実施例に於いて、各障子の横寸法である、モジュール寸法の１．５倍に相当する横寸法，２．５倍に相当する横寸法，３．０倍に相当する横寸法とは、夫々モジュール寸法の１．５倍，２．５倍，３．０倍の寸法ではなく、サッシ枠の横寸法を満足する寸法、即ち、サッシ枠の両側に配置された縦枠の幅寸法を差し引いた寸法に納まる寸法である。従って、モジュール寸法の１．５倍に相当する小障子の横寸法は、モジュール×１．５の数値よりも小さくなり、同様に中障子，大障子の横寸法もモジュール寸法に夫々の倍率を掛けた数値よりも小さくなる。
【００２７】
例えば、小障子を基準障子として選択した場合、サッシ枠の横寸法がモジュール寸法の３．０倍（３．０Ｍ）の場合には２枚の小障子を配置し、４．０Ｍの場合には１枚の小障子と１枚の中障子を配置し、６．０Ｍの場合には２枚の小障子と１枚の大障子を配置することで、横寸法の変化に関わらず小障子を統一感を発揮させる際の要として機能させることが可能である。
【００２８】
また基準障子として中障子を選択した場合、或いは大障子を選択した場合であっても、選択された基準障子と小障子、或いは大障子又は中障子とを組み合わせて配置することで、サッシ枠には必ず少なくとも１枚の中障子又は大障子が配置されることとなり、この基準障子を通して統一感を発揮させることが可能である。
【００２９】
モジュール寸法に対する上記比率は、モジュール寸法に対応して横寸法が設定されたサッシ枠に対して合理的に納めることが可能な比率であり、且つ住宅に使用される最も小さい横寸法を持った窓に適用することが可能な寸法である。
【００３０】
サッシ枠は、住宅に用いる窓の大きさと一致した横寸法に設定されている。即ち、最も小さいサッシ枠の横寸法をモジュール寸法の３倍とし、この横寸法よりも大きく且つ好ましくはモジュール寸法の整数倍の横寸法に設定される。このような寸法を持ったサッシ枠では目的の住宅を設計する際に行う割付上好ましい。しかし、必ずしもサッシ枠の横寸法はモジュール寸法の整数倍である必要はなく、前記各障子を納めることが可能であれば、例えばモジュール寸法の１／２の整数倍であっても良い。
【００３１】
以下、窓セット及び住宅の好ましい実施例について図を用いて説明する。図１は窓セットの構成を説明する図である。図２は本実施例に係る窓セットを横方向に並べた状態を示す図である。図３は本実施例に係る窓セットを縦方向に並べた状態を示す図である。図４は２枚の小障子によって構成した窓を屋内側からみた図である。図５は図４の窓を屋外側からみた図である。図６は図４の窓の縦断面図である。図７は図４の窓の横断面図である。図８は１枚の小障子と１枚の中障子によって構成した窓を屋内側から見た図である。図９は図８の窓を屋外側からみた図である。図１０は２枚の小障子と１枚の大障子によって構成した窓を屋内側からみた図である。図１１は図１０を屋外側からみた図である。図１２は本実施例に係る住宅を説明する図である。
【００３２】
先ず、図１により窓セットの構成について説明する。図に於いて、小障子１は横寸法がモジュール寸法の１．５倍に相当する寸法を有しており、縦寸法は後述するサッシ枠の縦寸法に対応させてモジュール寸法の３．０倍に相当する寸法を有している。本実施例では、モジュール寸法を約３００ｍｍに設定しているため、小障子１は横寸法が約４５０ｍｍ、縦寸法が約９００ｍｍで形成されている。
【００３３】
中障子２は横寸法がモジュール寸法の２．５倍に相当する寸法を有しており、縦寸法はモジュール寸法の３．０倍に相当する寸法を有している。従って、中障子２は横寸法が約７５０ｍｍ、縦寸法が約９００ｍｍで形成されている。大障子３は横寸法がモジュール寸法の３．０倍に相当する寸法を有しており、横寸法が約９００ｍｍ、縦寸法が約９００ｍｍで形成されている。
【００３４】
尚、前述したように、小障子１〜大障子３に於ける横寸法は上記寸法にのみ限定するものではなく、モジュール寸法の０．５倍の整数倍で適宜設定することが可能である。また縦寸法も特に限定するものではなく、本実施例のモジュール寸法の３．０倍以外の寸法を自由に設定することが可能である。但し、少なくとも住宅に於ける同一の壁面に配置される小障子１〜大障子３及びサッシ枠５〜７の高さは夫々同じ寸法であることが必要である。
【００３５】
上記小障子１，中障子２，大障子３によって障子群が形成され、該障子群の中から基準障子が選択される。基準障子の選択方法は特に限定するものではなく、目的の住宅に於ける壁面の大きさや、窓の数、外観の意匠性を考慮して選択するのが好ましい。
【００３６】
本実施例では、小障子１を基準障子として選択した例について説明する。
【００３７】
サッシ枠は上記小障子１〜大障子３の中から選択された障子を移動可能に納めると共に予め設定された壁面に形成された開口部に取り付けられて該開口部を開閉する機能を有するものである。このため、サッシ枠の横寸法は特に限定されるものではなく、通常の開口部を構成する窓の横寸法と同様な寸法に設定されている。また縦寸法は予め設定された寸法を有しており、該サッシ枠の縦寸法に対応して各障子１〜３の縦寸法が設定される。
【００３８】
特に、本実施例では、予め横寸法が約４５０ｍｍの小障子１が基準寸法として選択されているため、サッシ枠には必ず少なくとも１枚の小障子１が配置されることとなり、該サッシ枠の横寸法は小障子１と他の障子２，３を複数組み合わせた横寸法に設定される。
【００３９】
サッシ枠５は横寸法がモジュール寸法の３．０倍（３Ｍ、約９００ｍｍ）に設定されると共に縦寸法が３．０Ｍ（約９００ｍｍ）に設定されており、サッシ枠６は横寸法が４．０Ｍ（約１２００ｍｍ）、縦寸法が３Ｍ（約９００ｍｍ）に設定され、サッシ枠７は横寸法が６．０Ｍ（約１８００ｍｍ）、縦寸法が３．０Ｍ（約９００ｍｍ）に設定されている。
【００４０】
従って、サッシ枠５は２枚の小障子１を納めることが可能であり、サッシ枠６は１枚の小障子１と１枚の中障子２を納めることが可能であり、サッシ枠７は２枚の小障子１と１枚の大障子３を納めることが可能なように構成されている。即ち、各サッシ枠５〜７には、必ず基準となる小障子１が少なくとも１枚配置されている。そして、サッシ枠５〜７に少なくとも１枚の基準障子である小障子１が配置されることとなり、横寸法の異なる複数のサッシ枠を設置した場合であっても、この基準障子によって統一感を発揮することが可能となる。
【００４１】
本実施例では基準障子として小障子１を選択したが、中障子２を選択しても良い。例えば基準障子として中障子２を選択した場合、サッシ枠の幅は４Ｍ，５Ｍ，８Ｍ等の寸法とすることが可能である。そして、これらのサッシ枠に必ず少なくとも１枚の基準障子である中障子２を配置することが可能となり、横寸法の異なる複数のサッシ枠を設置した場合であっても、この基準障子によって統一感を発揮することが可能となる。
【００４２】
また基準障子として大障子３を選択しても良い。基準障子として大障子３を選択した場合、サッシ枠の幅は４．５Ｍ，６Ｍ，８Ｍ等の寸法とすることが可能であり、これらのサッシ枠に必ず少なくとも１枚の基準障子である大障子３を配置することが可能となる。このため、横寸法の異なる複数のサッシ枠を設置した場合であっても、この基準障子によって統一感を発揮することが可能となる。
【００４３】
次に、図１に示す窓セットを横方向に並べた状態を図２により説明する。図に於いて、横寸法が３Ｍに設定されたサッシ枠５には基準障子である小障子１が２枚納められている。またサッシ枠６には１枚の小障子１と１枚の中障子２が納められ、サッシ枠７には２枚の小障子１と１枚の大障子３が納められている。
【００４４】
そして夫々基準障子となる１枚の小障子１に加えて他の障子１〜３を組み合わせて納めたサッシ枠５〜７を横方向に並べたとき、各サッシ枠５〜７には夫々基準障子である小障子１が配置されることとなる。即ち、横寸法の異なるサッシ枠５〜７であっても、共通した小障子１が必ず配置されることになる。このため、横寸法が異なるにも関わらず統一感を発揮することが可能となり、全体のまとまりを実現することが可能となる。
【００４５】
上記の如く構成された窓セットでは、基準障子が全てのサッシ枠に納められることから、共通部品としての性格を有することとなり、部品管理を容易に行うことが可能となる。このことは、サッシ枠に納める網戸の共通部品化やガラスの共通化をはかることも可能とし、製造上の合理化をはかることが可能となる。
【００４６】
次に、図１に示す窓セットを縦方向に並べた場合について図３により説明する。図に示すように、夫々対応する障子１〜３を納めたサッシ枠５〜７を縦方向に並べた場合であっても、基準障子となる小障子１が全てのサッシ枠５〜７に納まっているため、統一感を発揮することが可能である。
【００４７】
尚、前述の実施例では、引き違い窓の構成について説明したが、例えば、基準障子１枚のみをサッシ枠に納めて構成した片開き窓や、外倒し窓或いは中倒し窓等を構成した場合であっても、基準障子を納めたサッシ枠５〜７と並べたとき、統一感を発揮することが可能である。
【００４８】
また、例えば１枚の基準障子と１枚の他の障子を組み合わせたサッシ枠５〜７を長手方向を縦方向に配置して並べた場合であっても、同様に統一感を発揮することが可能である。
【００４９】
次に、図４〜図７により、横寸法が３．０Ｍに設定されたサッシ枠５に２枚の小障子１を配置して構成した窓の具体的な構成について説明する。図に於いて、小障子１はクレセント４によって施錠し得るように構成されており、且つ各小障子１に該小障子１を開閉させるための把手８が設けられている。
【００５０】
本実施例ではサッシ枠５の上端部であって屋外側には庇５ａが設けられている。庇５ａの有無は特に限定するものではなく、該庇５ａがない場合であっても、サッシ枠に基準障子と他の障子とが組み合わされたものであれば良い。またサッシ枠５及び小障子１共に断熱サッシとして構成されており、夫々のサッシ枠５，小障子１は屋外側の部材がアルミニウム素材によって構成され、屋内側の部材が合成樹脂によって構成されている。
【００５１】
上記の如く構成されたサッシでは、住宅の外壁に配置し得る引き違い窓としての機能を発揮することが可能である。
【００５２】
次に、図８，図９により４．０Ｍのサッシ枠６に、１枚の小障子１と１枚の中障子２を組み合わせた窓について説明する。尚、図に於いて前述の実施例と同一の部分には同一の符号を付して説明を省略する。図に示すように、サッシ枠６に小障子１と中障子２が配置されるため、単独で見たとき不安定な感じを与える虞があるが、前述の実施例と並べてみたとき、統一感を発揮することが可能である。
【００５３】
次に、図１０，図１１により６．０Ｍのサッシ枠７に２枚の小障子１と１枚の大障子３を組み合わせた窓について説明する。図に示すように、サッシ枠７に２枚の小障子１と１枚の大障子３が配置され、夫々がクレセント４によって施錠し得るように構成されると共に大障子３には特別な把手９が設けられている。
【００５４】
上記の如く構成された窓では、単独で見た場合にも安定感を発揮することが可能であり、前述の各窓と組み合わせた場合、統一感を発揮することが可能である。
【００５５】
次に、上記窓セットを適用した住宅の構成について図１２により説明する。図に於いて、住宅Ａは二階建てとして建築されており、外壁１１に本実施例に係る窓セットが配置されている。
【００５６】
外壁１１には１階に対応する部分に、４．０Ｍのサッシ枠６、３．０Ｍのサッシ枠５、６．０Ｍのサッシ枠７が連窓して配置されている。夫々のサッシ枠５〜７には図２，図３と同様に、基準障子となる１枚の小障子１と、該小障子１と組み合わせた中障子２，大障子３が納められている。また外壁１１の２階に対応する部分には、サッシ枠５に配置された小障子１と同じ幅を有し、且つ引き違い窓以外の形状を持った窓１２が並べて配置されている。
【００５７】
上記の如く、同一の外壁面に異なる横寸法を持った複数のサッシ枠５〜７を配置した場合であっても、各サッシ枠５〜７には必ず基準障子となる小障子１が納められることとなり、横寸法が異なるにも関わらず、開口部の統一感を発揮させることが可能となる。
【００５８】
更に、同じ外壁面に引き違い窓以外の窓１２を配置した場合であっても、この窓１２の幅が基準障子となる１枚の小障子１と同じ幅を持つため、外壁としての統一感を発揮させることが可能となる。
【００５９】
【発明の効果】
以上詳細に説明したように本発明に係る窓セットでは、高さが同じで横寸法が異なる複数の障子からなる障子群を設定しておき、この障子群の中から基準となる障子を選択すると共に選択された基準となる障子と他の障子を組み合わせてサッシ枠に納めるようにしたので、サッシ枠の横寸法が異なる場合であっても、夫々のサッシ枠には必ず基準障子が配置されることになる。このため、異なる横寸法を持った窓に共通して基準障子が配置されることとなり、これらの窓を並べたとき、基準障子によって統一感を発揮することが出来る。
【００６０】
また本発明に係る住宅では、同一の壁面に本発明に係る窓セットを複数配置することで、サッシ枠の横寸法が異なる場合であっても、これらのサッシ枠に共通した障子を配置することで、各窓の統一感を発揮することが可能となり、この結果、壁面の統一感を発揮させることが出来る。
【図面の簡単な説明】
【図１】窓セットの構成を説明する図である。
【図２】本実施例に係る窓セットを横方向に並べた状態を示す図である。
【図３】本実施例に係る窓セットを縦方向に並べた状態を示す図である。
【図４】２枚の小障子によって構成した窓を屋内側からみた図である。
【図５】図４の窓を屋外側からみた図である。
【図６】図４の窓の縦断面図である。
【図７】図４の窓の横断面図である。
【図８】１枚の小障子と１枚の中障子によって構成した窓を屋内側から見た図である。
【図９】図８の窓を屋外側からみた図である。
【図１０】２枚の小障子と１枚の大障子によって構成した窓を屋内側からみた図である。
【図１１】図１０を屋外側からみた図である。
【図１２】本実施例に係る住宅を説明する図である。
【符号の説明】
Ａ                    住宅
１                    小障子
２                    中障子
３                    大障子
４                    クレセント
５〜７                サッシ枠
８，９                把手
１１                    外壁
１２                    窓
【図１】
2004257020.tif 000003
【図２】
2004257020.tif 000004
【図３】
2004257020.tif 000005
【図４】
2004257020.tif 000006
【図５】
2004257020.tif 000007
【図６】
2004257020.tif 000008
【図７】
2004257020.tif 000009
【図８】
2004257020.tif 000010
【図９】
2004257020.tif 000011
【図１０】
2004257020.tif 000012
【図１１】
2004257020.tif 000013
【図１２】
2004257020.tif 000014